(57)【要約】【課題】吸気側と排気側の各ＶＴＣの通電機構をそれぞれの耐熱要求に応じた別異の構造とすることにより、全体のコストの低減化を図ることのできるバルブタイミング制御システムを提供する。【解決手段】基本構造が同じの吸気側と排気側の電動式ＶＴＣ０４，０５は、スリップリング２６ａ、２６ｂとこれらに摺接する第２ブラシ３０ａ、３０ｂを介して電動モータ１２へ通電することによって吸気弁と排気弁のバルブタイミングを変更する構成とし、吸気側ＶＴＣの樹脂プレート２２や樹脂ホルダー２３ａ、２３ｂ、並びに第２ブラシを保持する保持体２８を、耐熱性に優れたポリフェニレンスルファイド樹脂材によって形成する一方、排気側ＶＴＣの吸気側と対応する前記保持体などの材質を、より安価なナイロン樹脂材によって形成した。【選択図】図３
2014152766.tif 000002
【特許請求の範囲】
【請求項１】
吸気側カムシャフトと排気側カムシャフトの両方に電動式バルブタイミング制御装置を設けてなる内燃機関のバルブタイミング制御システムであって、
前記それぞれの電動式バルブタイミング制御装置は、通電機構を介して通電されることによって回転力を出力する電動モータをそれぞれ有し、該各電動モータの出力トルクによって吸気弁と排気弁のバルブタイミングを変更する構成とし、
前記吸気側電動式バルブタイミング制御装置の通電機構の発熱部位を、耐熱性材料によって形成する一方、前記排気側電動式バルブタイミング制御装置の通電機構の発熱部位を、前記吸気側の耐熱性材料よりも耐熱性の低い材料によって形成したことを特徴とする内燃機関のバルブタイミング制御システム。
【請求項２】
吸気側カムシャフトと排気側カムシャフトの両方に電動式バルブタイミング制御装置を設けてなる内燃機関のバルブタイミング制御システムであって、
前記それぞれの電動式バルブタイミング制御装置は、スリップリングと該スリップリングに当接する給電用ブラシを介して通電することによって出力される回転力により吸気弁と排気弁のバルブタイミングを変更する構成とし、
前記吸気側電動式バルブタイミング制御装置の給電用ブラシを保持する絶縁材からなる吸気側保持部材は、前記排気側電動式バルブタイミング制御装置の給電用ブラシを保持する絶縁材からなる排気側保持部材の成形材料よりも耐熱性を有していることを特徴とする内燃機関のバルブタイミング制御システム。
【請求項３】
吸気側カムシャフトと排気側カムシャフトの両方に電動式バルブタイミング制御装置を設けてなる内燃機関のバルブタイミング制御システムであって、
前記それぞれの電動式バルブタイミング制御装置は、通電されることによって回転力を出力する電動モータと、該電動モータの回転を減速して吸気弁と排気弁のバルブタイミングを変更する減速機構を備え、
前記吸気側電動式バルブタイミング制御装置の電動モータへの通電により発熱する部位は、前記排気側電動式バルブタイミング制御装置の電動モータへの通電により発熱する部位に対して少なくとも放熱性が高い構造に形成されていることを特徴とする内燃機関のバルブタイミング制御システム。
【発明の詳細な説明】
【技術分野】
【０００１】
本発明は、吸気弁と排気弁の両方の開閉タイミング（バルブタイミング）を制御する内燃機関のバルブタイミング制御システムに関する。
【背景技術】
【０００２】
従来からスプロケットに対するカムシャフトの相対回転位相を油圧によって変更するバルブタイミング制御システムが一般的に知られているが、近時、電動モータの回転力を、減速機構を介してカムシャフトに伝達することによりクランクシャフトから回転力が伝達されるスプロケットに対するカムシャフトの相対回転位相を変更することによって、吸気弁や排気弁のバルブタイミングを制御するバルブタイミング制御システムが提供されている。
【０００３】
例えば、以下の特許文献１に記載されたバルブタイミング制御システムは、吸気側カムシャフトと排気側カムシャフトの両方に、それぞれ電動モータで駆動されるバルブタイミング制御装置が設けられている。
【先行技術文献】
【特許文献】
【０００４】
【特許文献１】特開２００６−２０７３９８号公報
【発明の概要】
【発明が解決しようとする課題】
【０００５】
前記公報記載のバルブタイミング制御システムにあっては、前述のように、吸気側カムシャフトと排気側カムシャフトの両方にバルブタイミング制御装置が設けられているが、前記吸気側のバルブタイミング制御装置は内燃機関の始動後からいずれの運転領域においても頻繁に作動するのに対して、排気側のバルブタイミング制御装置は、内燃機関の例えば中回転領域以外ではバルブタイミング（位相）が保持されていることが多い。
【０００６】
したがって、吸気側のバルブタイミング制御装置では、電動モータへの通電時間が長くなるのに対して、排気側のバルブタイミング制御装置では、電動モータへの通電時間が比較的短くなる。このため、吸気側の電動モータに対する通電機構の所定部位の発熱量の絶対量が多くなるのに対して、排気側の電動モータへの通電機構の発熱量は比較的少ない。
【０００７】
しかしながら、前記特許文献１に記載のバルブタイミング制御システムは、吸気側の通電機構を高い発熱量に応じた耐熱性材料などを用いた構造になっているが、排気側の通電機構も同じ耐熱性材料などを用いた構造としていることから、排気側の通電機構が無用なコスト高になってしまう。
【０００８】
本発明は、吸気側と排気側のバルブタイミング制御装置の通電機構をそれぞれの耐熱要求に応じた別異の構造とすることにより、全体のコストの低減化を図ることのできるバルブタイミング制御システムを提供する。
【課題を解決するための手段】
【０００９】
本願請求項１に記載の発明は、とりわけ、吸気側と排気側のそれぞれの電動式バルブタイミング制御装置は、通電機構を介して通電されることによって回転力を出力する電動モータをそれぞれ有し、該各電動モータの出力トルクによって吸気弁と排気弁のバルブタイミングを変更する構成とし、前記吸気側電動式バルブタイミング制御装置の通電機構の発熱部位を、耐熱性材料によって形成する一方、前記排気側電動式バルブタイミング制御装置の通電機構の発熱部位を、前記吸気側の耐熱性材料よりも耐熱性の低い材料によって形成したことを特徴としている。
【発明の効果】
【００１０】
この発明によれば、吸気側バルブタイミング制御装置と排気側バルブタイミング制御装置のそれぞれの通電機構を、耐熱要求に合った材料を用いたことから、特に排気側のコストの低減化が図れる。
【図面の簡単な説明】
【００１１】
【図１】本発明に係るバルブタイミング制御システムの第１実施形態を示す要部平面図である。
【図２】図１のＡ矢視図である。
【図３】図２の吸気側ＶＴＣを示すＢ−Ｂ線断面図である。
【図４】本実施形態における主要な構成部材を示す分解斜視図である。
【図５】図３のＣ−Ｃ線断面図である。
【図６】図３のＤ−Ｄ線断面図である。
【図７】図３のＥ−Ｅ線断面図である。
【図８】図２の排気側ＶＴＣを示すＦ−Ｆ線断面図である。
【図９】図８のＧ−Ｇ線断面図である。
【図１０】本発明の第２実施形態における吸気側ＶＴＣの平面図である。
【図１１】図１０のＨ矢視図である。
【発明を実施するための形態】
【００１２】
以下、本発明に係る内燃機関のバルブタイミング制御システムの実施形態を図面に基づいて説明する。
〔第１実施形態〕
このバルブタイミング制御システムは、図１及び図２に示すように、シリンダヘッド０１のアッパデッキ上に固定された枠状の軸受部材０６によって回転自在に支持された吸気側カムシャフト０２及び該吸気側カムシャフト０２に平行に配置された排気側カムシャフト０３と、該各吸排気側カムシャフト０２，０３の前端部にそれぞれ設けられた電動式の吸気側バルブタイミング制御装置(以下、吸気側ＶＴＣと称す。)０４及び同じく電動式の排気側バルブタイミング制御装置(以下、排気側ＶＴＣと称す。)０５と、を備えている。
【００１３】
前記軸受部材０６は、アルミ合金材によって形成されて、吸気側カムシャフト０２と排気側カムシャフト０３の前後端部やこれらの間を、シリンダヘッド０１のアッパデッキ上に形成された半割状の軸受溝との間で挟持状態に回転自在に支持している。また、軸受部材０６の前端側には、前記吸気側、排気側ＶＴＣ０４，０５の一部を覆うチェーンカバー０７が一体に設けられている。また、このチェーンカバー０７の前端側には、吸気側ＶＴＣ０４と排気側ＶＴＣ０５それぞれの前端部を覆うＶＴＣカバー３、３が図外のボルトによって固定されている。
【００１４】
まず、前記吸気側ＶＴＣ０４について説明すれば、図３及び図４に示すように、内燃機関のクランクシャフトによって回転駆動する駆動回転体であるスプロケット１と、該スプロケット１と前記吸気側カムシャフト０２の間に配置されて、機関運転状態に応じて両者１，０２の相対回転位相を変更する位相変更機構２と、を備えている。
【００１５】
前記スプロケット１は、全体が鉄系金属によって筒状一体に形成され、内周面が段差径状のスプロケット本体１ａと、該スプロケット本体１ａの外周に一体に設けられて、巻回された図外のタイミングチェーンを介してクランクシャフトからの回転力を受ける歯車部１ｂと、前記スプロケット本体１ａの前端側に一体に設けられた内歯構成部１９と、から構成されている。
【００１６】
また、このスプロケット１は、スプロケット本体１ａと前記吸気側カムシャフト０２の前端部に設けられた後述する従動部材９との間に設けられた１つの大径ボールベアリング４３によって前記吸気側カムシャフト０２と相対回転自在に支持されるようになっている。
【００１７】
前記大径ボールベアリング４３は、外輪４３ａと、内輪４３ｂ及び該両輪４３ａ、４３ｂの間に介装されたボール４３ｃと、から構成され、前記外輪４３ａがスプロケット本体１ａの内周側に固定されているのに対して内輪４３ｂが後述する従動部材９の外周側に固定されている。
【００１８】
前記スプロケット本体１ａは、内周側に円環溝状の外輪固定部６０が切欠形成されており、この外輪固定部６０は、段差径状に形成されて、前記大径ボールベアリング４３の外輪４３ａが軸方向から圧入されると共に、該外輪４３ａの軸方向一方側の位置決めをするようになっている。
【００１９】
前記内歯構成部１９は、前記スプロケット本体１ａの前端部外周側に一体に設けられ、後述する電動モータ１２方向へ延出した円筒状に形成されていると共に、内周には波形状の複数の内歯１９ａが形成されている。また、前記内歯構成部１９の前端側には、後述するハウジング５と一体の円環状の雌ねじ形成部６が対向配置されている。
【００２０】
さらに、スプロケット本体１ａの内歯構成部１９と反対側の後端部には、円環状の保持プレート６１が配置されている。この保持プレート６１は、金属板材によって一体に形成され、図３に示すように、外径が前記スプロケット本体１ａの外径とほぼ同一に設定されていると共に、内径が前記大径ボールベアリング４３の径方向のほぼ中央付近の径に設定されている。
【００２１】
したがって、保持プレート６１の内周部６１ａは、前記外輪４３ａの軸方向の外端面４３ｅに対して一定の隙間をもって覆うように対向配置されている。また、前記内周部６１ａの内周縁所定位置には、径方向内側、つまり中心軸方向に向かって突出したストッパ凸部６１ｂが一体に設けられている。
【００２２】
このストッパ凸部６１ｂは、図６に示すように、ほぼ扇状に形成されて、先端縁６１ｃが後述するストッパ溝２ｂの円弧状内周面に沿った円弧状に形成されている。さらに、前記保持プレート６１の外周部には、前記各ボルト７が挿通する６つのボルト挿通孔６１ｄが周方向の等間隔位置に貫通形成されている。
【００２３】
さらに、前記保持プレート６１の内面と該内面に対向する前記大径ボールベアリング４３の外輪４３ａの外端面４３ｅとの間には、円環状の押圧部材６２が介装されている。この押圧部材６２は、前記保持プレート６１を前記各ボルト７によって共締め固定した際に、保持プレート６１の内面から前記外輪４３ａの外端面４３ｅへ僅かな押し付け力を付与するものである。
【００２４】
前記スプロケット本体１ａ（内歯構成部１９）及び保持プレート６１のそれぞれの外周部には、それぞれボルト挿通孔１ｃ、６１ｄが周方向のほぼ等間隔位置に６つ貫通形成されている。また、前記雌ねじ形成部６には、各ボルト挿通孔１ｃ、６１ｄと対応した位置に６つの雌ねじ孔６ａが形成されており、これらに挿通した６本のボルト７によって前記スプロケット１と保持プレート６１及びハウジング５が軸方向から共締め固定されている。
【００２５】
また、前記スプロケット本体１ａと前記内歯構成部１９、保持プレート６１及び雌ねじ形成部６は、それぞれの外径がほぼ同一に設定されている。
【００２６】
前記チェーンカバー０７は、図１〜図３に示すように、タイミングチェーンを覆うように上下方向に沿って配置固定され、前記吸気側ＶＴＣ０４と排気側ＶＴＣ０５に対応した位置にそれぞれ開口部０７ａ、０７ｂが形成されている。また、この各開口部０７ａ、０７ｂを構成する環状壁の円周方向のそれぞれ４箇所にボス部０７ｃが一体に形成されていると共に、環状壁から各ボス部０７ｃの内部に亘って形成された雌ねじ孔０７ｄがそれぞれ形成されている。
【００２７】
前記吸気側のＶＴＣカバー３は、図１及び図３に示すように、アルミニウム合金材によってカップ状に一体に形成されて、膨出状のカバー本体３ａと、該カバー本体３ａの開口側の外周縁に一体に形成された円環状の取付フランジ３ｂとから構成されている。前記カバー本体３ａは、位相変更機構２の前端部を覆うように配置されていると共に、径方向の偏倚した位置には円筒壁３ｃが軸方向に沿って一体に形成されている。この円筒壁３ｃは、内部に保持用孔３ｄが形成されている。
【００２８】
前記取付フランジ３ｂは、円周方向のほぼ等間隔位置に４つのボス部３ｅが周方向のほぼ等間隔位置（約９０°位置）に設けられている。この各ボス部３ｅには、前記チェーンカバー０７に形成された各雌ねじ孔０７ｃに螺着する図外のボルトが挿通するボルト挿通孔３ｆがそれぞれ貫通形成されており、前記各ボルト５４によって吸気側ＶＴＣカバー３がチェーンカバー０７に固定されている。
【００２９】
また、前記カバー本体３ａの外周側の段差部内周面と前記ハウジング５の外周面との間には、大径なオイルシール５０が介装されている。この大径オイルシール５０は、横断面ほぼコ字形状に形成されて、合成ゴムの基材の内部に芯金が埋設されていると共に、外周側の円環状基部が前記ＶＴＣカバー３の内周面に設けられた段差円環部に嵌着固定されている。
【００３０】
前記ハウジング５は、図３及び図４に示すように、鉄系金属材をプレス成形によって有底筒状に形成されたハウジング本体５ａと、該ハウジング本体５ａの前端開口を封止する合成樹脂の非磁性材からなる封止プレート１１と、を備えている。
【００３１】
前記ハウジング本体５ａは、歯車構成部１９側の端部に円板状の底壁５ｂを有し、該底壁５ｂのほぼ中央に後述の偏心軸部３９を挿通する大径な軸部挿通孔が形成されていると共に、該軸部挿通孔の孔縁には、吸気側カムシャフト０２の軸方向へ突出した円筒状の延出部５ｃが一体に設けられている。また、前記底壁５ｂの前端面外周側には、前記雌ねじ形成部６が一体に設けられている。
【００３２】
前記吸気側カムシャフト０２は、外周に前記一対の吸気弁を開作動させる一気筒当たり２つの回転カム(図示せず)を有していると共に、前端部にフランジ部０２ａが一体に設けられている。また、フランジ部０２ａの前端面に、従動部材９がカムボルト１０によって軸方向から結合されている。前記フランジ部０２ａは、図３に示すように、外径が従動部材９の固定端部９ａの外径よりも僅かに大きく設定されて、各構成部品の組み付け後に、前端面の外周部が前記大径ボールベアリング４３の内輪４３ｂの軸方向外端面に当接配置されるようになっている。
【００３３】
また、前記フランジ部０２ａの外周には、図６に示すように、前記保持プレート６１のストッパ凸部６１ｂが係入するストッパ凹溝０２ｂが円周方向に沿って形成されている。このストッパ凹溝０２ｂは、円周方向へ所定長さの円弧状に形成されて、この長さ範囲で回動したストッパ凸部６１ｂの両端縁が周方向の対向縁０２ｃ、０２ｄにそれぞれ当接することによって、スプロケット１に対する吸気側カムシャフト０２の最大進角側あるいは最大遅角側の相対回転位置を規制するようになっている。
【００３４】
なお、前記ストッパ凸部６１ｂは、前記保持プレート６１の大径ボールベアリング４３の外輪４３ａに軸方向外側から対向して固定する部位よりも吸気側カムシャフト０２側に離間して配置されて、前記従動部材９の固定端部９ａとは軸方向で非接触状態になっている。したがって、ストッパ凸部６１ｂと固定端部９ａとの干渉を十分抑制できる。
【００３５】
前記カムボルト１０は、図３に示すように、頭部１０ａの軸部１０ｂ側の端面に円環状のワッシャ部が配置されていると共に、軸部１０ｂの外周に前記吸気側カムシャフト０２の端部から内部軸方向に形成された雌ねじ部に螺着する雄ねじ部が形成されている。
【００３６】
前記従動部材９は、鉄系金属によって一体に形成され、図３に示すように、前端側に形成された円板状の固定端部９ａと、該固定端部９ａの内周前端面から軸方向へ突出した円筒部９ｂと、前記固定端部９ａの外周部に一体に形成されて、複数のローラ４８を保持する円筒状の保持器４１とから構成されている。
【００３７】
前記固定端部９ａは、後端面が前記吸気側カムシャフト０２のフランジ部０２ａの前端面に当接配置されて、前記カムボルト１０の軸力によってフランジ部０２ａに軸方向から圧接固定されている。
【００３８】
前記円筒部９ｂは、中央に前記カムボルト１０の軸部１０ｂが挿通される挿通孔９ｄが貫通形成されていると共に、外周側にはニードルベアリング３８が設けられている。
【００３９】
前記保持器４１は、図３〜図５に示すように、前記固定端部９ａの外周部前端から断面ほぼＬ字形状に折曲形成されて、前記円筒部９ｂと同方向へ突出した有底円筒状に形成されている。この保持器４１の筒状先端部４１ａは、前記雌ねじ形成部６と前記延出部５ｄとの間に形成された円環状の空間部４４を介してハウジング５の底部５ｂ方向へ延出している。また、前記筒状先端部４１ａの周方向のほぼ等間隔位置に、前記複数のローラ４８をそれぞれ転動自在に保持するほぼ長方形状の複数のローラ保持孔４１ｂが周方向の等間隔位置に形成されている。このローラ保持孔４１ｂ（ローラ４８）は、その全体の数が前記内歯構成部１９の内歯１９ａの全体の歯数よりも１つ少なくなっている。
【００４０】
また、前記固定端部９ａの外周部と保持器４１の底部側結合部との間には、大径ボールベアリング４３の内輪４３ｂを固定する内輪固定部６３が切欠形成されている。
【００４１】
この内輪固定部６３は、前記外輪固定部６０と径方向から対向した段差状に切欠形成されて、カムシャフト軸方向に延びた円環状の外周面と、該外周面の前記開口と反対に一体に有し、径方向に沿って形成された第２固定段差面とから構成されている。前記外周面には、大径ボールベアリング４３の内輪４３ｂが軸方向から圧入されると共に、前記第２固定段差面には、圧入された前記内輪４３ｂの内端面が当接して軸方向の位置決めがされるようになっている。
【００４２】
前記位相変更機構２は、前記吸気側カムシャフト０２のほぼ同軸上前端側に配置された前記電動モータ１２と、該電動モータ１２の回転を減速して吸気側カムシャフト０２に伝達するローラ式の前記減速機構８と、から主として構成されている。
【００４３】
前記電動モータ１２は、図３及び図４に示すように、ブラシ付きのＤＣモータであって、前記スプロケット１と一体に回転するヨークである前記ハウジング５と、該ハウジング５の内部に回転自在に設けられたモータ出力軸１３と、ハウジング５の内周面に固定されたステータである半円弧状の一対の永久磁石１４，１５と、前記封止プレート１１に固定された固定子１６と、を備えている。
【００４４】
前記モータ出力軸１３は、段差円筒状に形成されてアーマチュアとして機能し、軸方向のほぼ中央位置に形成された段差部１３ｃを介して吸気側カムシャフト０２側の大径部１３ａと、保持体２８側の小径部１３ｂとから構成されている。前記大径部１３ａは、外周に鉄心ロータ１７が固定されていると共に、内部に偏心軸部３９が軸方向から圧入固定されて、前記段差部１３ｃの内面によって偏心軸部３９の軸方向の位置決めがされるようになっている。
【００４５】
一方、前記小径部１３ｂは、外周に円環部材２０が圧入固定されていると共に、該円環部材２０の外周面にコミュテータ２１が軸方向から圧入固定されて前記段差部１３ｃの外面によって軸方向の位置決めがなされている。
【００４６】
さらに、前記小径部１３ｂの内周面には、モータ出力軸１３や偏心軸部３９内に供給されて前記各ベアリング３７，３８を潤滑するための潤滑油の外部への漏洩を抑制する栓体５３が圧入固定されている。
【００４７】
前記鉄心ロータ１７は、複数の磁極を持つ磁性材によって形成され、外周側が電磁コイル１８のコイル線を巻回させるスロットを有するボビンとして構成されている。
【００４８】
一方、前記コミュテータ２１は、導電材によって円環状に形成されて、前記鉄心ロータ１７の極数と同数に分割された各セグメントに前記電磁コイル１８の引き出されたコイル線の端末が電気的に接続されている。つまり、内周側に形成された折り返し部に、コイル線の端末先端を挟み込んで電気的に接続されるようになっている。
【００４９】
前記永久磁石１４，１５は、全体が円筒状に形成されて円周方向に複数の磁極を有していると共に、その軸方向の位置が前記鉄心ロータ１７の固定位置よりも前方にオフセット配置されている。
【００５０】
前記固定子１６は、通電機構の一部を構成し、図７に示すように、前記封止プレート１１の内周側に一体的に設けられた発熱箇所となる円板状の樹脂プレート２２と、該樹脂プレート２２の内側に設けられた発熱箇所となる一対の樹脂ホルダー２３ａ、２３ｂと、該各樹脂ホルダー２３ａ、２３ｂの内部に径方向に沿って摺動自在に収容配置されて、コイルスプリング２４ａ、２４ｂのばね力で各先端面が前記コミュテータ２１の外周面に径方向から弾接する切換ブラシ（整流子）である一対の第１ブラシ２５ａ、２５ｂと、前記樹脂ホルダー２３ａ、２３ｂの前端面に、各外端面を露出した状態で埋設固定された内外二重の円環状の給電用スリップリング２６ａ、２６ｂと、前記各第１ブラシ２５ａ、２５ｂと各給電用スリップリング２６ａ、２６ｂを電気的に接続するハーネス２７ａ、２７ｂと、から主として構成されている。
【００５１】
前記封止プレート１１は、前記ハウジング５の前端部内周に形成された凹状段差部にかしめによって位置決め固定されている。また、中央位置には、モータ出力軸１３の一端部などが挿通される軸挿通孔１１ａが貫通形成されている。
【００５２】
前記樹脂プレート２２と樹脂ホルダー２３ａ、２３ｂは、耐熱性の合成樹脂材によって形成されており、この耐熱性の合成樹脂材としては、高価なポリフェニレンスルファイド樹脂材(ＰＰＳ)が用いられている。
【００５３】
すなわち、吸気側の電動モータ１２は、機関のいずれの運転中においてもスプロケット１に対する吸気側カムシャフト０２との相対回転位相を進角側、あるいは遅角側へ変換させるために、通電量が多くなることから、通電機構での発熱量が多くなる。
【００５４】
特に、前記第１ブラシ２５ａ、２５ｂの各先端部は、前記各コイルスプリング２４ａ、２４ｂのばね力によって各コミュテータ２１の外周面に圧接しつつ摺動していることから、機械的なフリクションによる摩擦熱よっても発熱し、この高熱が前記樹脂プレート２２と樹脂ホルダー２３ａ、２３ｂに伝達されてしまう。
【００５５】
そこで、前記樹脂プレート２２と樹脂ホルダー２３ａ、２３ｂを耐熱性の優れたポリフェニレンスルファイド樹脂材を用いているのである。
【００５６】
前記カバー本体３ａには、絶縁材である合成樹脂材によって一体的にモールドされた発熱部位となる保持体２８が固定されている。この保持体２８は、固定子１６と同じく通電機構の一部を構成し、図３及び図４に示すように、側面視ほぼＬ字形状に形成され、前記保持用孔３ｃに挿入されるほぼ円筒状のブラシ保持部２８ａと、該ブラシ保持部２８ａの上端部に有するコネクタ部２８ｂと、前記ブラシ保持部２８ａの両側に一体に突設されて、前記カバー本体３ａにボルト固定される一対のブラケット部２８ｃ、２８ｃと、前記保持体２８の内部に大部分が埋設された一対の給電用端子片３１、３１と、から主として構成されている。
【００５７】
前記一対の給電用端子片３１，３１は、上下方向に沿って平行かつクランク状に形成されて、一方側（下端側）の各端子３１ａ、３１ａが前記ブラシ保持部２８ａの底壁外面に露出状態で配置されている一方、他方側（上端側）の各端子３１ｂ、３１ｂが前記コネクタ部２８ｂの雌型嵌合溝２８ｄ内に突設されている。また、前記他方側端子３１ｂ、３１ｂは、図外の雄端子を介してコントロールユニットに電気的に接続されている。
【００５８】
前記ブラシ保持部２８ａは、ほぼ水平方向（軸方向）に延設されて、内部の内外周位置に形成された一対の円柱状孔内にスリーブ状の摺動部２９ａ、２９ｂが圧入固定されていると共に、該各摺動部２９ａ、２９ｂの内部に、各先端面が前記各スリップリング２６ａ、２６ｂに軸方向からそれぞれ当接する給電用ブラシである第２ブラシ３０ａ、３０ａが軸方向へ摺動自在に保持されている。
【００５９】
前記各摺動部２９ａ、２９ｂは、例えばＣ２６００の黄銅が用いられ、これによって前記各第２ブラシ３０ａ、３０ｂの良好な摺動性を確保している。
【００６０】
この各第２ブラシ３０ａ、３０ａは、ほぼ長方体状に形成されて、各貫通孔の底部側に有する底板との間に弾装された付勢部材である第２コイルスプリング３２ａ、３２ａのばね力によってそれぞれ前記各スリップリング２６ａ、２６ｂ方向に付勢されて、各先端部が各スリップリング２６ａ、２６ｂの外面に弾接している。
【００６１】
また、前記第２ブラシ３０ａ、３０ａの後端部と前記一方側端子３１ａ、３１ａとの間には、可撓性を有する一対のピグテールハーネス３３、３３が溶接固定されて、前記両者を電気的に接続している。このピグテールハーネス３３、３３は、その長さが前記第２ブラシ３０ａ、３０ａが前記各コイルスプリング３２ａ、３２ａによって最大に進出した際に、前記各摺動部２９ａ、２９ｂから脱落しないように、その最大摺動位置を規制する長さに設定されている。
【００６２】
また、前記ブラシ保持部２８ａの基部側外周に形成された円環状の嵌着溝内に、環状シール部材３４が嵌着保持されている。
【００６３】
前記ブラケット部２８ｃ、２８ｃは、ほぼ三角形状に形成されて、両側部に形成されたボルト挿通孔に挿通されたビス４，４によってカバー本体３ａに固定されるようになっている。
【００６４】
そして、前記保持体２８は、前述した樹脂プレート２２などと同じく耐熱性の合成樹脂材としてポリフェニレンスルファイド樹脂材(ＰＰＳ)が用いられている。
【００６５】
つまり、前述した吸気側の電動モータ１２への通電量が多くなることから、通電機構での発熱量が多くなるが、特に、前記第２ブラシ３０ａ、３０ｂの各先端部は、前記各コイルスプリング３２ａ、３２ｂのばね力によって各スリップリング２６ａ、２６ｂの外周面に圧接しつつ摺動していることから、機械的なフリクションによる摩擦熱によっても発熱し、この高熱が前記保持体２８に伝達されてしまう。そこで、この保持体２８も耐熱性の優れたポリフェニレンスルファイド樹脂材を用いているのである。
【００６６】
前記モータ出力軸１３と偏心軸部３９は、前記カムボルト１０の頭部１０ａ側の軸部１０ｂの外周面に設けられた小径ボールベアリング３７と、前記従動部材９の円筒部９ｂの外周面に設けられて小径ボールベアリング３７の軸方向側部に配置された前記ニードルベアリング３８とによって回転自在に支持されている。
【００６７】
前記ニードルベアリング３８は、偏心軸部３９の内周面に圧入された円筒状のリテーナ３８ａと、該リテーナ３８ａの内部に回転自在に保持された複数の転動体であるニードルローラ３８ｂとから構成されている。このニードルローラ３８ｂは、前記従動部材９の円筒部９ｂの外周面を転動している。
【００６８】
前記小径ボールベアリング３７は、内輪が前記従動部材９の円筒部９ｂの前端縁とカムボルト１０のワッシャ１０ｃとの間に挟持状態に固定されている
また、前記モータ出力軸１３(偏心軸部３９)の外周面と前記ハウジング５の延出部５ｄの内周面との間には、減速機構８の内部から電動モータ１２内への潤滑油のリークを阻止する小径なオイルシール４６が設けられている。
【００６９】
また、前記モータ出力軸１３の前端内部には、図３に示すように、カムボルト１０側の空間部を閉止する断面ほぼコ字形状のキャップ５３が圧入固定されている。
【００７０】
前記コントロールユニットは、図外のクランク角センサやエアーフローメータ、水温センサ、アクセル開度センサなど各種のセンサ類から情報信号に基づいて現在の機関運転状態を検出して、機関制御を行うと共に、前記電磁コイル１８に通電してモータ出力軸１３の回転制御を行い、減速機構８を介して吸気側カムシャフト０２のスプロケット１に対する相対回転位相を制御するようになっている。
【００７１】
前記減速機構８は、図３〜図５に示すように、偏心回転運動を行う前記偏心軸部３９と、該偏心軸部３９の外周に設けられた中径ボールベアリング４７と、該中径ボールベアリング４７の外周に設けられた前記ローラ４８と、該ローラ４８を転動方向に保持しつつ径方向の移動を許容する前記保持器４１と、該保持器４１と一体の前記従動部材９と、から主として構成されている。
【００７２】
前記偏心軸部３９は、段差径の円筒状に形成されて、前端側の小径部３９ａが前述したモータ出力軸１３の大径部１３ａの内周面に圧入固定されている共に、後端側の大径部３９ｂの外周面に形成されたカム面の軸心Ｙがモータ出力軸１３の軸心Ｘから径方向へ僅かに偏心している。
【００７３】
前記中径ボールベアリング４７は、内輪４７ａと外輪４７ｂ及び両輪４７ａ、４７ｂとの間に介装されたボール４７ｃとから構成されている。前記内輪４７ａは、前記偏心軸部３９の外周面に圧入固定されているのに対して、前記外輪４７ｂは、軸方向で固定されることなくフリーな状態になっている。つまり、この外輪４７ｂは、軸方向の電動モータ１２側の一端面がどの部位にも接触せず、また軸方向の他端面がこれに対向する保持器４１の内側面との間に微小な隙間が形成されてフリーな状態になっている。また、この外輪４７ｂの外周面には、前記各ローラ４８の外周面が転動自在に当接していると共に、この外輪４７ｂの外周側には、円環状の第２隙間Ｃ１が形成されて、この第２隙間Ｃ１によって中径ボールベアリング４７全体が前記偏心軸部３９の偏心回転に伴って径方向へ移動可能、つまり偏心動可能になっている。
【００７４】
前記各ローラ４８は、鉄系金属によって形成され、前記中径ボールベアリング４７の偏心動に伴って径方向へ移動しつつ歯車である前記内歯構成部１９の内歯１９ａに嵌入すると共に、保持器４１のローラ保持孔４１ｂの両側縁によって周方向にガイドされつつ径方向へ揺動運動させるようになっている。
【００７５】
前記減速機構８の内部には、潤滑油供給手段によって潤滑油が供給されるようになっている。この潤滑油供給手段は、前記シリンダヘッドの軸受の内部に形成されて、図外のメインオイルギャラリーから潤滑油が供給される油供給通路と、図３に示すように、前記吸気側カムシャフト０２の内部軸方向に形成されて、前記油供給通路にグルーブ溝を介して連通した油供給孔５１と、前記従動部材９の内部軸方向に貫通形成されて、一端が該油供給孔５１に開口し、他端が前記ニードルベアリング３８と中径ボールベアリング４７の付近に開口した前記小径なオイル孔５２と、同じく従動部材９に貫通形成された前記大径な３つの図外のオイル排出孔と、から構成されている。
【００７６】
この潤滑油供給手段によって、前記空間部４４に潤滑油が供給されて滞留し、ここから中径ボールベアリング４７や各ローラ４８を潤滑すると共に、さらには偏心軸部３９とモータ出力軸１３の内部に流入してニードルベアリング３８や小径ボールベアリング３７などの可動部の潤滑に供されるようになっている。なお、前記空間部４４内に滞留した潤滑油は、前記小径オイルシール４６によってハウジング５内へのリークが抑制されている。
【００７７】
以下、吸気側ＶＴＣ０４の作動について説明すると、まず、機関のクランクシャフトが回転駆動するとタイミングチェーンを介してスプロケット１が回転して、その回転力が内歯構成部１９と雌ねじ形成部６を介してハウジング５、つまり電動モータ１２が同期回転する。一方、前記内歯構成部１９の回転力が、各ローラ４８から保持器４１及び従動部材９を経由して吸気側カムシャフト０２に伝達される。これによって、吸気側カムシャフト０２のカムが吸気弁を開閉作動させる。
【００７８】
そして、機関始動後の所定の機関運転時には、前記コントロールユニットから各端子片３１，３１や各ピグテールハーネス３３、３３及び給電用ブラシ３０ａ、３０ｂ、各スリップリング２６ａ、２６ｂなどを介して電動モータ１２の電磁コイル１７に通電される。これによって、モータ出力軸１３が回転駆動され、この回転力が減速機構８を介して吸気側カムシャフト０２に減速された回転力が伝達される。
【００７９】
すなわち、前記モータ出力軸１３の回転に伴い偏心軸部３９が偏心回転すると、各ローラ４８がモータ出力軸１３の１回転毎に保持器４１の各ローラ保持孔４１ｂで径方向へガイドされながら前記内歯構成部１９の一つの内歯１９ａを乗り越えて隣接する他の内歯１９ａに転動しながら移動し、これを順次繰り返しながら円周方向へ転接する。この各ローラ４８の転接によって前記モータ出力軸１３の回転が減速されつつ前記従動部材９に回転力が伝達される。このときの減速比は、前記ローラ４８の個数などによって任意に設定することが可能である。
【００８０】
これにより、吸気側カムシャフト０２がスプロケット１に対して正逆相対回転して相対回転位相が変換されて、吸気弁の開閉タイミングを進角側あるいは遅角側に変換制御するのである。
【００８１】
そして、前記電動モータ１２の回転を前記各内歯１９ａ内に配置された前記各ローラ４８の転接を利用して減速させるようになっていることから、これら減速時のフリクションが十分に小さくなる。これによって、前述したスプロケット１に対する吸気側カムシャフト０２の進角側あるいは遅角側への相対回転変換の応答性が向上する。
【００８２】
〔排気側ＶＴＣ〕
一方、前記電動式の排気側ＶＴＣ０５は、図１、図８及び図９に示すように、基本構成が吸気側ＶＴＣ０４と同一であるから共通の構成箇所は同一の符番を付して具体的な説明を省略する。
【００８３】
そして、吸気側ＶＴＣ０４と異なるところは、前記排気側カムシャフト０３と従動部材９との間に、排気側カムシャフト０３をスプロケット１に対して進角側に付勢する付勢機構７０を設けると共に、通電機構である前記固定子１６の樹脂プレート２２や樹脂ホルダー２３ａ、２３ｂ並びに合成樹脂材からなる保持体２８の材質を変更したものである。
【００８４】
すなわち、排気側ＶＴＣ０５は、図８に示すように、内燃機関のクランクシャフトによって回転駆動する駆動回転体であるスプロケット１と、該スプロケット１と前記吸気側カムシャフト０２の間に配置されて、機関運転状態に応じて両者１，０２の相対回転位相を変更する位相変更機構２と、を備えている。
【００８５】
前記スプロケット１は、全体が鉄系金属によって一体に形成され、円筒状のスプロケット本体１ａと、該スプロケット本体１ａの外周に一体に設けられて、前記吸気側のスプロケット１と共通に巻回された図外のタイミングチェーンを介してクランクシャフトからの回転力を受ける歯車部１ｂと、前記スプロケット本体１ａの前端側に一体に設けられた内歯構成部１９と、から構成されている。
【００８６】
前記スプロケット本体１は、前記歯車構成部１９側が吸気側のものよりも軸方向に長く延設されている。
【００８７】
前記付勢機構７０は、排気側カムシャフト０３の前端部と従動部材９の固定端部９ａとの間に配置されて、カムボルト１０によって共締め固定されたスプリングリテーナ７１と、該スプリングリテーナ７１の外周側に配置されたトーションスプリング７２とから主として構成されている。
【００８８】
前記スプリングリテーナ７１は、軸方向に短尺な円柱状に形成されて、中央位置に前記カムボルト１０の軸部１０ｂが挿通されるボルト挿通孔７１ａが軸方向に沿って貫通形成されていると共に、前端側のほぼ中央位置に前記従動部材９のカムシャフト０３側の端部中央位置に突設された円柱状突部９ｃが嵌入する嵌入穴７１ｂが形成されている。一方、前記嵌入穴７１ｂと反対の端部には、前記排気側カムシャフト０３の端部中央内に形成された嵌挿穴０３ａに係入する円筒状突部７１ｃが一体に設けられている。
【００８９】
また、このスプリングリテーナ７１は、内周側の内部軸方向に前記排気側カムシャフト０３内の油通路孔５１と従動部材９内のオイル孔５２とを連通させる連通孔７１ｄが軸方向に貫通形成されていると共に、外周部のカムシャフト０３側の端部に前記トーションスプリング７２の後述する一端部７２ａが径方向から係止するスリット状の第１係止溝７１ｅが軸方向に沿って形成されている。
【００９０】
前記トーションスプリング７２は、図９にも示すように、スプリングリテーナ７１の外周側に拡縮変形自在に配置され、径方向内側へ折曲形成された一端部７２ａが前記スプリングリテーナ７１の第１係止溝７１ｅに径方向から係止されている一方、径方向外側へ折曲形成された他端部７２ｂが前記スプロケット本体１ａの歯車部１ｂ側の内周面にスリット状に形成された第２係止溝１ｄに径方向から係止されている。
【００９１】
これによって、スプロケット１に対して排気側カムシャフト０３を、図９の矢印で示す進角側へ常時回転付勢するようになっている。したがって、機関始動時には、排気弁と吸気弁とのバルブオーバーラップがなくなることから、燃焼性が良好になって始動性が向上する。
【００９２】
なお、前記スプロケット本体１ａの内周には、前記大径ボールベアリング４３の外輪４３ａを、保持プレート６１を介して各ボルト７の軸力によって一方の軸方向から押圧支持する筒状の押圧部材７３が配置されている。
【００９３】
また、排気側カムシャフト０３とスプリングリテーナ７１、並びに該スプリングリテーナ７１と従動部材９とは、それぞれ軸方向から圧入された２つのロケートピン７４、７５によって径方向の位置決めがなされるようになっている。
【００９４】
そして、この排気側バルブタイミング制御装置０５は、機関運転中におけるスプロケット１に対する排気側カムシャフト０３の相対回転位相の変換を頻繁に行うことなく、始動時や高回転高負荷時には電動モータ１２を駆動させずに前記トーションスプリング７２のばね力によって進角側へ強制的に変換させ、定常運転時には中間位相位置保持されていることが多い。したがって、排気側の電動モータ１２への通電量が吸気側に比べて少ないことから発熱量も少ない。
【００９５】
このように、電動モータ１２への通電機構の発熱量は比較的少なく耐熱性の要求が小さいことから、前記通電機構を構成する前記固定子１６の発熱部位である樹脂プレート２２や樹脂ホルダー２３ａ、２３ｂ並びに保持体２８の合成樹脂材の材質を、吸気側のポリフェニレンスルファイド樹脂材(ＰＰＳ)と比較して十分に安価なナイロン樹脂材が用いられている。
【００９６】
したがって、この第１実施形態によれば、耐熱性が要求される吸気側の通電機構の樹脂プレート２２や樹脂ホルダー２３ａ、２３ｂ、保持体２８の材質を、ポリフェニレンスルファイド樹脂材とする一方、耐熱性があまり要求されない排気側の通電機構の樹脂プレート２２や樹脂ホルダー２３ａ、２３ｂ、保持体２８の材質を、安価なナイロン樹脂材によって形成したことから、特に排気側バルブタイミング制御装置０５の製造コストの低減化が図れる。
〔第２実施形態〕
図１０及び図１１は第２実施形態を示し、基本構造や通電機構の各部の合成樹脂材の材質は前述した第１実施形態の吸気側バルブタイミング制御装置０４と排気側バルブタイミング制御装置０５と同じであるが、この実施形態では、吸気側バルブタイミング制御装置０４の前記吸気側ＶＴＣカバー３の外面に複数の放熱フィン７６が設けられている。
【００９７】
すなわち、アルミニウム合金材によって一体に形成された前記吸気側ＶＴＣカバー３は、カバー本体３ａの平坦な外面に複数の放熱フィン７６が上下方向に沿って一体に設けられている。なお、排気側バルブタイミング制御装置０５の排気側ＶＴＣカバー３には、放熱フィンは設けられていない。
【００９８】
したがって、この実施形態によれば、吸気側の前記第１ブラシ３０ａ、３０ｂなどから保持体２８に伝達された熱は、吸気側ＶＴＣカバー３から各放熱フィン７６を介して外気に放熱されることから、前記保持体２８を効果的に冷却することができる。
【００９９】
この結果、保持体２８を、ポリフェニレンスルファイド樹脂材から安価なナイロン樹脂材に変更することも可能になり、これによって、さらにバルブタイミング制御システム全体のコストの低減化が図れる。
【０１００】
前記実施形態から把握される前記請求項以外の発明の技術的思想について以下に説明する。
〔請求項ａ〕
請求項２に記載の内燃機関のバルブタイミング制御システムにおいて、
吸気側保持部材の材料は、ポリフェニレンスルファイド樹脂材によって形成されている一方、
前記排気側保持部材は、フェノール系樹脂材またはナイロン樹脂材によって形成されていることを特徴とする内燃機関のバルブタイミング制御システム。
〔請求項ｂ〕請求項３に記載の内燃機関のバルブタイミング制御システムにおいて、
前記吸気側の発熱部位には、放熱フィンが設けられていることを特徴とする内燃機関のバルブタイミング制御システム。
【符号の説明】
【０１０１】
０１…シリンダヘッド
０２…吸気側カムシャフト
０３…排気側カムシャフト
０４…吸気側ＶＴＣ
０５…排気側ＶＴＣ
１…スプロケット
２…位相変更機構
３…ＶＴＣカバー
５…ハウジング
８…減速機構
９…従動部材
１２…電動モータ
１３…モータ出力軸
１９…内歯構成部
２１…コミュテータ
２２…樹脂プレート
２３ａ、２３ａ…樹脂ホルダー
２５ａ、２５ｂ…第１ブラシ
２６ａ、２６ｂ…スリップリング
２８…保持体
２８ａ…ブラシ保持部
３０ａ、３０ｂ…第２ブラシ
７０…付勢機構
７１…スプリングリテーナ
７１ｅ…第１係止溝
７２…トーションスプリング
７２ａ…一端部
７２ｂ…他端部
【図１】
2014152766.tif 000003
【図２】
2014152766.tif 000004
【図３】
2014152766.tif 000005
【図４】
2014152766.tif 000006
【図５】
2014152766.tif 000007
【図６】
2014152766.tif 000008
【図７】
2014152766.tif 000009
【図８】
2014152766.tif 000010
【図９】
2014152766.tif 000011
【図１０】
2014152766.tif 000012
【図１１】
2014152766.tif 000013